【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】  Ａ）芳香族ポリカーボネートおよび／またはポリエステルカーボネート、
Ｂ）強化剤、
Ｃ）任意に、熱可塑性ホモポリマーおよび／またはコポリマー、および
Ｄ）Ｄ.１  リン化合物と
Ｄ.２  Ｄ.１とは異なるリン／酸素化合物、またはリン／硫黄化合物と
の組み合わせ、あるいはＤ.１とＤ.２の反応生成物
を含有する組成物。
【請求項２】  成分Ｄを０．１〜３０重量部の量で含有する請求項１記載の組成物。
【請求項３】  Ｄ.２がリン／酸素化合物である請求項１または２記載の組成物。
【請求項４】  Ｄ.１が、モノマー性およびオリゴマー性リン酸エステルおよびホスホン酸エステル、ホスホネートアミンおよびホスファゼンおよび／またはこれらの混合物から成る群より選択される請求項１〜３のいずれかに記載の組成物。
【請求項５】  成分Ｄ．１として、式(III)：
【化１】
2004517978.tif 000001
（式中、Ｒ１、Ｒ２、Ｒ３およびＲ４はそれぞれ、互いに独立して、任意にハロゲン化されたＣ１-〜Ｃ８-アルキル（場合によりアルキルで置換されていてよい）および／またはハロゲン置換されたＣ５-〜Ｃ６-シクロアルキル、Ｃ６-〜Ｃ20-アリールまたはＣ７-〜Ｃ12-アラルキルであり、ｎは、互いに独立して、０または１であり、ｑは、０〜３０であり、およびＸは、炭素数６〜３０の単核もしくは多核芳香族基、または炭素数２〜３０の直鎖もしくは分枝の脂肪族基（これらはＯＨ-置換されかつエーテル基を８個まで含有していてよい）である。）
のリン化合物を含有する請求項１〜４のいずれかに記載の組成物。
【請求項６】  前記式(III)において、Ｘが、
【化２】
2004517978.tif 000002
またはこれらの塩素化もしくは臭素化誘導体を表す請求項５記載の組成物。
【請求項７】  成分Ｄ.１として、モノホスフェート、オリゴホスフェートまたはモノホスフェートとオリゴホスフェートとの混合物を含有する請求項５または６記載の組成物。
【請求項８】  成分Ｄ.１として、式(IＶ)：
【化３】
2004517978.tif 000003
（式中、Ａは、式(Ｖａ)：
【化４】
2004517978.tif 000004
または式(Ｖｂ)：
【化５】
2004517978.tif 000005
の基を表し、Ｒ11およびＲ12は、互いに独立して、Ｃ１-〜Ｃ10-アルキルまたは非置換もしくは置換Ｃ６-〜Ｃ10-アリールを表し、Ｒ13およびＲ14は、互いに独立して、非置換もしくは置換Ｃ１-〜Ｃ10-アルキルまたは非置換もしくは置換Ｃ６-〜Ｃ10-アリールを表すか、あるいはＲ13およびＲ14は合わせて、非置換もしくは置換Ｃ３-〜Ｃ10-アルキレンを表し、ｙは、０、１または２の数値であり、そしてＢ１は、互いに独立して、水素、任意にハロゲン化されたＣ２-〜Ｃ８-アルキル、非置換もしくは置換Ｃ６-〜Ｃ10-アリールを表す。）
のホスホネートアミンと、式(ＶIａ)および(ＶIｂ)：
【化６】
2004517978.tif 000006
(式中、Ｒはそれぞれ、同一または異なって、アミノ（任意にハロゲン化されていてよい）、Ｃ１-〜Ｃ８-アルキルまたはＣ１-〜Ｃ８-アルコキシ（任意にアルキル、Ｃ４-アルキル、で置換されていてよい）および／またはハロゲン置換されたＣ５-〜Ｃ６-シクロアルキル、Ｃ６-〜Ｃ20-アリール、Ｃ６-〜Ｃ20-アリーロキシまたはＣ７-〜Ｃ12-アラルキルであり、ｋは、０または１〜１５までの数を表す。）
のホスファゼンとから成る群より選択される少なくとも１種のホスホネートアミンを含有する請求項１記載の組成物。
【請求項９】  成分Ｄ.２として、リン酸化物、リン硫化物、リン酸アルミニウム、リン酸アルカリ土類塩、リン酸アルカリ塩またはリン酸アンモニウムあるいはこれらの混合物を含有する請求項１〜８のいずれかに記載の組成物。
【請求項１０】  成分Ｄ.２として、五酸化リンを含有する請求項９記載の組成物。
【請求項１１】  滴り落ち防止剤(anti-dripping agents)を含有する請求項１〜１０のいずれかに記載の組成物。
【請求項１２】  強化剤として、
Ｂ.１  少なくとも１種のビニルモノマー５〜９５重量％の
Ｂ.２  ガラス転移温度１０℃未満の少なくとも１種のグラフトベース９５〜５重量％への
グラフトポリマーＢ）を含有する請求項１〜１１のいずれかに記載の組成物。
【請求項１３】  モノマーＢ．１が、
Ｂ.１.１  ビニル芳香族、核置換ビニル芳香族またはＣ１〜Ｃ４-アルキルメタクリレートあるいはこれらの混合物５０〜９９重量部、および
Ｂ.１.２  ビニルシアニド、Ｃ１〜Ｃ８-アルキル(メタ）アクリレートまたは不飽和カルボン酸の誘導体あるいはこれらの混合物
から選択される請求項１２記載の組成物。
【請求項１４】  モノマーＢ.１.１が、スチレン、α-メチルスチレンおよびメチルメタクリレートモノマーのうち少なくとも１種から選択され、およびモノマーＢ.１.２が、アクリロニトリル、無水マレイン酸およびメチルメタクリレートモノマーのうち少なくとも１種から選択される請求項１３記載の組成物。
【請求項１５】  Ｂ.１.１がスチレンであり、およびＢ.１.２がアクリロニトリルである請求項１４記載の組成物。
【請求項１６】  グラフトベースＢ.２が、ジエンゴム、ＥＰ(Ｄ)Ｍゴム、アクリレートゴム、ポリウレタンゴム、シリコーンゴム、クロロプレンゴムまたはエチレン／酢酸ビニルゴム、あるいはこれらの混合物から成る群より選択される請求項１〜１５のいずれかに記載の組成物。
【請求項１７】  グラフトベースＢ.２が、該成分Ｂ.２のガラス転移温度が１０℃未満であることを条件として、ジエンゴム、ジエンゴムと別の共重合性モノマーとのコポリマー、またはこれらのゴム混合物から選択される請求項１６記載の組成物。
【請求項１８】  成分Ｃが、１種以上の熱可塑性ビニル(コ)ポリマーＣ.１、ポリアルキレンテレフタレートＣ.２、またはこれらの混合物から選択される請求項１〜１７のいずれかに記載の組成物。
【請求項１９】  滴り落ち防止剤がフッ素化ポリオレフィンである請求項１〜１８のいずれかに記載の組成物。
【請求項２０】  Ａ）芳香族ポリカーボネートおよび／またはポリエステルカーボネート４０〜９９重量部、
Ｂ）Ｂ.１）１種以上のビニルモノマー５〜９５重量％，好ましくは３０〜８０重量％の
Ｂ.２）ガラス転移温度１０℃未満、好ましくは０℃未満、特に好ましくは−２０℃未満を有する１種以上のグラフトベース９５〜５重量％、好ましくは２０〜７０重量％への
グラフトポリマー０．５〜６０重量部、
Ｃ）ビニル(コ)ポリマーおよびポリアルキレンテレフタレートから成る群より選択される少なくとも１種の熱可塑性ポリマー０〜４５重量部、好ましくは０〜３０重量部、特に好ましくは２〜２５重量部、
Ｄ）Ｄ.１）有機リン化合物と、
Ｄ.２）リン／酸素化合物またはリン／硫黄化合物と
の組み合わせ０．１〜３０重量部、好ましくは１〜２５重量部、特に好ましくは２〜２０重量部、および
Ｅ）滴り落ち防止剤０〜５重量部、好ましくは０．１〜３重量部、特に好ましくは０．１〜１重量部、とりわけ０．１〜０．５重量部
を含有し、前記成分Ａ〜Ｅの重量部の和が１００である請求項１〜１９のいずれかに記載の組成物。
【請求項２１】  請求項１〜２０のいずれかに記載の組成物から得られる成形品、フィルムまたはシート。